(57)【要約】【課題】試験のシナリオを自動的にデータベースへ登録する。【解決手段】試験装置１と試験対象７との間で送受信される試験信号のなかに、試験を構成するために記述された、送信されるメッセージと受信されるべきメッセージである送受メッセージ１３が挿入されている。メッセージ復号テーブル１４内には、送受メッセージ１３と対応するメッセージ文字列１６との関係が記憶されている。キーワード対応テーブル１５内には、メッセージ文字列１６とこのメッセージ文字列１６が意味する試験内容に対応するキーワード１７との関係が記憶されている。入力されたシナリオ１０から送受メッセージ１３が抽出され、この抽出された送受メッセージ１３からメッセージ文字列１６が復号され、このメッセージ文字列１６からキーワード１７が求まり、このキーワードが、入力されたシナリオに対するキーワードとしてデータベース９に登録される。【選択図】      図２
2007013409.tif 000002
【特許請求の範囲】
【請求項１】
試験対象（７）との間で試験信号の送受信を行うことで当該試験対象に対する各種試験を実施する試験装置（１）における前記各種試験の手順を示す各シナリオ（１０）をデータベース（９）に登録するシナリオ登録装置（１１）において、
前記各シナリオに前記試験信号に含まれて試験を構成するために記述された送信されるメッセージと受信されるべきメッセージである１個又は複数の送受メッセージ（１３）と対応して識別可能とするメッセージ文字列（１６）との関係を記憶するメッセージ復号テーブル（１４）と、
各メッセージ文字列とこのメッセージ文字列が意味する試験内容に関するキーワード（１７）との関係を記憶するキーワード対応テーブル（１５）と、
入力されたシナリオに含まれる１個又は複数の前記送受メッセージを抽出する送受メッセージ抽出部（２２）と、
この抽出された各送受メッセージを、前記メッセージ復号テーブルの記憶内容を用いて、対応する各メッセージ文字列に復号するメッセージ復号部（２３）と、
前記キーワード対応テーブルの記憶内容を用いて、前記メッセージ復号部で復号された各メッセージ文字列に対応する各キーワードを導き出するキーワード導出部（２４）と、
このキーワード導出部で導き出された各キーワードを前記入力されたシナリオに対するキーワードとして前記データベースに登録するキーワード登録部（２５）と
を備えたことを特徴とするシナリオ登録装置。
【請求項２】
試験対象との間で試験信号の送受信を行うことで当該試験対象に対する各種試験を実施する試験装置における前記各種試験の手順を示す各シナリオをデータベースに登録するシナリオ登録方法において、
入力されたシナリオに含まれる１個又は複数の送受メッセージを抽出する送受メッセージ抽出工程（２２）と、
前記各シナリオに前記試験信号に含まれて試験を構成するために記述された送信されるメッセージと受信されるべきメッセージである１個又は複数の送受メッセージと対応して識別可能とするメッセージ文字列との関係を記憶するメッセージ復号テーブルの記憶内容を用いて、前記送受メッセージ抽出工程で抽出された各送受メッセージを対応する各メッセージ文字列に復号するメッセージ復号工程（２３）と、
各メッセージ文字列とこのメッセージ文字列が意味する試験内容に関するキーワードとの関係を記憶するキーワード対応テーブルの記憶内容を用いて、前記メッセージ復号工程で復号された各メッセージ文字列に対応する各キーワードを導き出するキーワード導出工程（２４）と、
このキーワード導出工程で導き出された各キーワードを前記入力されたシナリオに対するキーワードとして前記データベースに登録するキーワード登録工程（２５）と
を備えたことを特徴とするシナリオ登録方法。
【請求項３】
試験対象との間で試験信号の送受信を行うことで当該試験対象に対する各種試験を実施する試験装置における前記各種試験の手順を示す各シナリオをデータベースに登録するコンピュータに、
入力されたシナリオに含まれる１個又は複数の送受メッセージを抽出する送受メッセージ抽出工程、
前記各シナリオに前記試験信号に含まれて試験を構成するために記述された送信されるメッセージと受信されるべきメッセージである１個又は複数の送受メッセージと対応して識別可能とするメッセージ文字列との関係を記憶するメッセージ復号テーブルの記憶内容を用いて、前記送受メッセージ抽出工程で抽出された各送受メッセージを対応する各メッセージ文字列に復号するメッセージ復号工程、
各メッセージ文字列とこのメッセージ文字列が意味する試験内容に関するキーワードとの関係を記憶するキーワード対応テーブルの記憶内容を用いて、前記メッセージ復号工程で復号された各メッセージ文字列に対応する各キーワードを導き出するキーワード導出工程、
このキーワード導出工程で導き出された各キーワードを前記入力されたシナリオに対するキーワードとして前記データベースに登録するキーワード登録工程と
を実行させるためのシナリオ登録プログラム。
【請求項４】
請求項１記載のシナリオ登録装置（１１）と、
このシナリオ登録装置でシナリオ及び該当シナリオのキーワードが登録されたデータベース（９）と、
キーワードを指定した検索要求に応じて対応する１個又は複数のシナリオの名をデータベースから検索して表示出力し、表示出力された１個又は複数のシナリオ名のうちの選択指定されたシナリオをデータベースから読出して出力するシナリオ検索装置（１２）と
を備えたシナリオデータベースシステム。
【請求項５】
請求項４記載のシナリオデータベースシステムが組込まれた測定装置。
【発明の詳細な説明】
【技術分野】
【０００１】
本発明は、試験対象との間で試験信号の送受信を行うことで当該試験対象に対する各種試験を実施する試験装置における各種試験の手順を記述したシナリオを管理するデータベースシステムに係わり、特に、シナリオをデータベースに登録するためのシナリオ登録装置、シナリオ登録方法、シナリオ登録プログラム、および、これ等が組込まれたシナリオデータベースシステム、試験装置に関する。
【背景技術】
【０００２】
例えば、携帯電話、ＰＨＳ等の移動端末は勿論のこと、通信ネットワークに組込まれた中継装置、各種の通信機器が正常に動作することを最終的に確認する試験として、試験装置から試験対象（ＤＵＴ）に対して試験信号を送信して、試験対象（ＤＵＴ）から出力される試験信号に対する応答信号を受信して、受信信号が正常か否かを判断することが実用化されている。
【０００３】
特に、携帯電話、ＰＨＳ等の移動端末に対する試験は多岐に亘り、試験毎に、試験の手順が試験規格に詳細に規定されている。この各試験の手順を試験装置が自動的に実施するために、各試験の手順を、例えば図３に示すように、所定の記述言語を用いて「シナリオ」として示し、試験を実施する場合には、該当試験に対応するシナリオを試験装置に書込むようにしている。なお、試験装置の記憶装置内に予め複数種類のシナリオを記憶しておき、試験実施者が、試験を指定すると、該当試験のシナリオに従って試験が自動実施される場合もある。
【０００４】
前述したように、携帯電話、ＰＨＳ等の移動端末に対する試験は多岐に亘り、試験毎に作成されたシナリオの数も膨大になる。したがって、この試験装置を用いて新規に開発した移動端末に対する試験を実施する移動端末のメーカにおいては、各試験のシナリオを分類して、データベースに登録し、新規開発した試験対象の通信方式、使用環境、試験目的等を考慮して実施する試験の検索条件を指定すると、該当検索条件に対応する試験のシナリオが自動的に読出されるようにしている。
【０００５】
また、上記データベースを、この試験装置のメーカ側で構築して、自己が作成した新規のシナリオをデータベースに、マニュアル操作で登録する場合もある。
【０００６】
なお、特許文献１には、一般の情報を自動分類して蓄積して、検索条件入力に応じて、検索条件に合致する情報を出力するシステムが提唱されている。
【特許文献１】特開平９―２２３１５０号公報
【発明の開示】
【発明が解決しようとする課題】
【０００７】
しかしながら上述したように、新規に試験のシナリオを作成する毎に、該当シナリオを、前述した試験対象の通信方式、使用環境、試験目的等に対応して分類して、データベースに、マニュアル操作で登録する作業に対して多大の手間と時間が必要であった。また、各シナリオの分類の仕方も、登録操作者毎に異なる場合もあり、構築されたデータベースを用いたシナリオの検索精度が低下する懸念があった。
【０００８】
本発明はこのような事情に鑑みてなされたものであり、入力されたシナリオの送受メッセージから試験対象の通信方式、使用環境、試験目的等に対応するキーワードを自動生成でき、操作者がシナリオの分類を指示することなく、シナリオを自動分類してデータベースに自動登録でき、データベースに登録する作業の手間と時間が大幅に低減でき、かつシナリオに対する検索精度が向上するシナリオ登録装置、シナリオ登録方法、シナリオ登録プログラム、および、これ等が組込まれたデータベースシステム、試験装置を提供することを目的とする。
【課題を解決するための手段】
【０００９】
上記課題を解消するために本発明は、試験対象との間で試験信号の送受信を行うことで当該試験対象に対する各種試験を実施する試験装置における各種試験の手順を示す各シナリオをデータベースに登録するシナリオ登録装置において、
各シナリオに試験信号に含まれて試験を構成するために記述された送信されるメッセージと受信されるべきメッセージである１個又は複数の送受メッセージと対応して識別可能とするメッセージ文字列との関係を記憶するメッセージ復号テーブルと、各メッセージ文字列とこのメッセージ文字列が意味する試験内容に関するキーワードとの関係を記憶するキーワード対応テーブルと、入力されたシナリオに含まれる１個又は複数の送受メッセージを抽出する送受メッセージ抽出部と、この抽出された各送受メッセージを、メッセージ復号テーブルの記憶内容を用いて、対応する各メッセージ文字列に復号するメッセージ復号部と、キーワード対応テーブルの記憶内容を用いて、メッセージ復号部で復号された各メッセージ文字列に対応する各キーワードを導き出するキーワード導出部と、このキーワード導出部で導き出された各キーワードを入力されたシナリオに対するキーワードとして前記データベースに登録するキーワード登録部とを備えている。
【００１０】
このように構成されたシナリオ登録装置においては、試験装置と、例えば携帯電話、ＰＨＳ等の移動端末等の試験対象との間で送受信される試験信号のなかには、試験を構成するために記述された、送信されるメッセージと受信されるべきメッセージである１個又は複数の送受メッセージが挿入されている。
【００１１】
そして、メッセージ復号テーブル内には、１個又は複数の送受メッセージと対応するメッセージ文字列との関係が記憶されている。さらに、キーワード対応テーブル内には、メッセージ文字列とこのメッセージ文字列が意味する試験内容、例えば、シナリオの送受メッセージから試験対象の通信方式、使用環境、試験目的等に対応するキーワードとの関係が記憶されている。
【００１２】
そして、入力されたシナリオから１個又は複数の送受メッセージが抽出され、この抽出された送受メッセージからメッセージ文字列が復号され、このメッセージ文字列からキーワードが求まり、このキーワードが、入力されたシナリオに対するキーワードとしてデータベースに登録される。
【００１３】
また、別の発明は、試験対象との間で試験信号の送受信を行うことで当該試験対象に対する各種試験を実施する試験装置における各種試験の手順を示す各シナリオをデータベースに登録するシナリオ登録方法において、
入力されたシナリオに含まれる１個又は複数の送受メッセージを抽出する送受メッセージ抽出工程と、各シナリオに試験信号に含まれて試験を構成するために記述された送信されるメッセージと受信されるべきメッセージである１個又は複数の送受メッセージと対応して識別可能とするメッセージ文字列との関係を記憶するメッセージ復号テーブルの記憶内容を用いて、送受メッセージ抽出工程で抽出された各送受メッセージを対応する各メッセージ文字列に復号するメッセージ復号工程と、各メッセージ文字列とこのメッセージ文字列が意味する試験内容に関するキーワードとの関係を記憶するキーワード対応テーブルの記憶内容を用いて、メッセージ復号工程で復号された各メッセージ文字列に対応する各キーワードを導き出するキーワード導出工程と、このキーワード導出工程で導き出された各キーワードを入力されたシナリオに対するキーワードとしてデータベースに登録するキーワード登録工程とを備えている。
【００１４】
このように構成されたシナリオ登録方法においても、先の発明のシナリオ登録装置とほぼ同じ作用効果を奏することができる。
【００１５】
また、別の発明は、試験対象との間で試験信号の送受信を行うことで当該試験対象に対する各種試験を実施する試験装置における各種試験の手順を示す各シナリオをデータベースに登録するコンピュータに以下のことを実行させるためのシナリオ登録プログラムである。
【００１６】
すなわち、コンピュータに、入力されたシナリオに含まれる１個又は複数の送受メッセージを抽出する送受メッセージ抽出工程と、各シナリオに試験信号に含まれて試験を構成するために記述された送信されるメッセージと受信されるべきメッセージである１個又は複数の送受メッセージと対応して識別可能とするメッセージ文字列との関係を記憶するメッセージ復号テーブルの記憶内容を用いて、送受メッセージ抽出工程で抽出された各送受メッセージを対応する各メッセージ文字列に復号するメッセージ復号工程と、各メッセージ文字列とこのメッセージ文字列が意味する試験内容に関するキーワードとの関係を記憶するキーワード対応テーブルの記憶内容を用いて、メッセージ復号工程で復号された各メッセージ文字列に対応する各キーワードを導き出するキーワード導出工程と、このキーワード導出工程で導き出された各キーワードを入力されたシナリオに対するキーワードとしてデータベースに登録するキーワード登録工程とを実行させる。
【００１７】
このように構成されたシナリオ登録プログラムにおいても、先の発明のシナリオ登録装置とほぼ同じ作用効果を奏することができる。
【００１８】
また、別の発明は、先の発明のシナリオ登録装置と、このシナリオ登録装置でシナリオ及び該当シナリオのキーワードが登録されたデータベースと、キーワードを指定した検索要求に応じて対応する１個又は複数のシナリオの名をデータベースから検索して表示出力し、表示出力された１個又は複数のシナリオ名のうちの選択指定されたシナリオをデータベースから読出して出力するシナリオ検索装置とを備えたシナリオデータベースシステムである。
【００１９】
このよううに構成されたシナリオデータベースシステムには、上述した発明のシナリオ登録装置が組込まれているので、先の発明のシナリオ登録装置とほぼ同じ作用効果を奏することができる。
【００２０】
また、別の発明は、先の発明のシナリオデータベースシステムが組込まれた試験装置である。
【発明の効果】
【００２１】
本発明においては、入力されたシナリオの送受メッセージからメッセージ文字列を復号し、復号したメッセージ文字列から試験対象の通信方式、使用環境、試験目的等に対応するキーワードを自動生成している。
【００２２】
したがって、操作者が試験のシナリオの分類を指示することなく、シナリオを自動分類してデータベースに自動登録でき、データベースに登録する作業の手間と時間が大幅に低減でき、かつシナリオに対する検索精度が向上する。
【発明を実施するための最良の形態】
【００２３】
以下、本発明の一実施形態を図面を用いて説明する。
【００２４】
図１は、本発明の一実施形態に係わるシナリオ登録方法、シナリオ登録プログラムが採用されるシナリオ登録装置が組込まれたシナリオデータベースシステム、及び試験装置としての擬似基地局装置の概略構成図である。
【００２５】
試験装置としての一種のコンピュータで構成された擬似基地局装置１内には、擬似基地局２、この擬似基地局２に仮想的に接続された仮想接続先３９、試験のシナリオを記憶した記憶部６が設けられている。また、擬似基地局装置１には、擬似基地局２に接続された携帯端末３、擬似基地局２にＩＳＤＮ回線を介して接続されたＴＶ電話４、擬似基地局２にＥｔｈｅｒｎｅｔ（登録商標）を介して接続された通信端末（ＰＣ）５が試験対象７の接続先として接続されている。
【００２６】
このような擬似基地局装置１が例えばＷ―ＣＤＭＡ通信規格を有する携帯電話等の試験対象７の試験を実施する場合、例えば携帯端末３から擬似基地局装置１内の擬似基地局２を介して、試験対象７を呼び出す場合、擬似基地局２は、記憶部６に記憶された試験のシナリオに従って、試験対象７に対してＷ―ＣＤＭＡ通信規格に準拠した試験信号（呼出信号）を送信して、試験対象７からの応答信号を受けて、試験対象７と携帯端末３とを接続すると共に、試験対象７と擬似基地局２との間で正しい通信手順（プロトコル）に従って通信が実行されることを確認する。
【００２７】
一種のコンピュータで構成されたシナリオデータベースシステム８は、上述した各試験のシナリオが分類されて登録されたデータベース９と、シナリオ１０をデータベース９に登録するシナリオ登録装置１１と、データベース９に登録されたシナリオを検索するシナリオ検索装置１２とで構成されている。
【００２８】
図２は、シナリオ登録装置１１の概略構成を示すブロック図である。このシナリオ登録装置１１へ入力されるシナリオ１０には、図３に示すように、試験の手順が記述言語（例えばＣ言語等）の形式で記述されている。
【００２９】
そして、このシナリオ１０には、試験において、試験対象７と通信するための、送信するメッセージ及び受信されるべきメッセージや、受信されるメッセージと比較するためのメッセージとしての１個又は複数の送受メッセージ１３が挿入されている。この送受メッセージ１３として、実施形態においては、例えば以下に示す、１６進の２桁で表された送受メッセージ１３で構成されている。
【００３０】
［ＥＥ］、［０１］、［１５］、［９Ｆ］、［０Ｂ］、［Ｃ８］、［００］
この送受メッセージ１３は、ビットデータとして、個別又は組合わされて、その内容が通信規格で定められている。
【００３１】
図２のシナリオ登録装置１１内には、メッセージ復号テーブル１４、キーワード対応テーブル１５が設けられている。メッセージ復号テーブル１４は、図４に例示したように、通信規格の定義に基づいて送受メッセージ１３に関する復号を可能とする情報で構成されており、前述の１６進の２桁の文字列で表された送受メッセージ１３の示すビットデータの個々または組合せから、該当する1個又は複数の情報を特定し、対応する識別可能なメッセージ文字列１６を特定する構成となっている。
【００３２】
なお、図４で示したメッセージ復号テーブル１４は、Ｗ−ＣＤＭＡの通信規格に関するごく一部の抜粋であり、本実施形態で説明されるメッセージ文字列１６全てを復号する構成を挙げたものではない。
【００３３】
キーワード対応テーブル１５内には、図５に示すように、各メッセージ文字列１６と、このメッセージ文字列１６が意味する試験内容、例えば、試験対象の通信方式、使用環境、試験目的等に対応するキーワード１７との関係が記憶されている。この例においては、「ＧＳＭ」、「ＣＤＭＡ２０００」等の通信方式のキーワード１７、及び「着信拒否」等の試験目的のキーワード１７が設定されている。
【００３４】
図２において、入力部１８は操作者によって入力されたシナリオ１０を入力バッファ１９に書込む。入力バッファ１９に書込まれたシナリオ１０は、シナリオ登録部２０にて、データベース９のシナリオファイル２１に書込まれる。
【００３５】
送受メッセージ抽出部２２は、入力バッファ１９に書込まれたシナリオ１０における各送受メッセージ１３を抽出して、メッセージ復号部２３へ送出する。メッセージ復号部２３は、メッセージ復号テーブル１４を用いて、各送受メッセージ１３を、対応する各メッセージ文字列１６に復号して、次のキーワード導出部２４へ送出する。図６に、メッセージ復号部２３で復号された各メッセージ文字列１６を示す。
【００３６】
キーワード導出部２４は、キーワード対応テーブル１５を、メッセージ復号部２８で復号された各メッセージ文字列１６で検索して、各メッセージ文字列１６に対応する各キーワード１７を導き出し、導き出した各キーワード１７をキーワード登録部２５へ送出する。キーワード登録部２５は、この各キーワード１７を今回入力されたシナリオ１０に対するキーワード１７として、データベース９のシナリオ管理データベース２７に新規登録する。
【００３７】
図７にデータベース９におけるシナリオ管理データベース２７の記憶内容を示す。シナリオファイル２１に記憶されたシナリオ１０を特定する格納位置２８とシナリオ名２９毎に、このシナリオ１０に含まれる各送受メッセージ１３から得られる各メッセージ文字列１６に対応する１個又は複数のキーワード１７が登録されている。
【００３８】
例えば、シナリオファイル２１の「ＴｅｓｔＳｃｅｎａｒｉｏｓ／ｓｓ／００１」の格納位置２８に記憶された「ｕ０１０３ｃ」のシナリオ名２９のシナリオ１０に対して、「Ｗ−ＣＤＭＡ」と「着信拒否」のキーワード１７が登録されている。
【００３９】
図８は、シナリオ登録装置１１の全体動作を示す流れ図である。シナリオ１０が入力されると（Ｓ１）、このシナリオ１０を入力バッファ１９に一時的に書込む（Ｓ２）。この入力バッファ１９に書込まれたシナリオ１０をデータベース９のシナリオファイル２１に書込む（Ｓ３）。
【００４０】
次に、入力バッファ１９に書込まれたシナリオ１０に含まれる各送受メッセージ１３を抽出する（Ｓ４）。抽出した各送受メッセージ１３でメッセージ復号テーブル１４を検索して、対応する各メッセージ文字列１６を復調する（Ｓ５、Ｓ６、Ｓ７）。
【００４１】
次に、復調した各メッセージ文字列１６で、キーワード対応テーブル１５を検索して、対応する各キーワード１７を得る（Ｓ８、Ｓ９、Ｓ１０）。最後に、各キーワード１７を今回入力されたシナリオ１０に対するキーワード１７として、データベース９のシナリオ管理データベース２７に新規登録する（Ｓ１１）。
【００４２】
このように構成されたシナリオ登録装置８においては、メッセージ復号テーブル１４は、図４に例示したように、送受メッセージ１３の示すデータと対応する１個又は複数のメッセージ文字列１６との関係が通信規格に基づいて記憶されている。
【００４３】
さらに、キーワード対応テーブル１５内には、図５に示すように、各メッセージ文字列１６とこのメッセージ文字列１６が意味する試験内容、例えば、シナリオに記載された送受メッセージ１３から試験対象７の通信方式、使用環境、試験目的等に対応するキーワード１７との関係が記憶されている。
【００４４】
そして、入力されたシナリオ１０から１個又は複数の送受メッセージ１３が抽出され、この抽出された各送受メッセージ１３からそれぞれ対応するメッセージ文字列１６が復号される。この各メッセージ文字列１６から各キーワード１７が求まり、このキーワード１７が、入力されたシナリオ１０に対するキーワード１７としてデータベース９のシナリオ管理データベース２７に登録される。
【００４５】
したがって、上述したように、操作者がシナリオ１０の分類（キーワード１７）を指示することなく、シナリオ１０をデータベース９に自動登録でき、データベース９に登録する作業の手間と時間が大幅に低減でき、かつシナリオ１０に対する検索精度が向上する。
【００４６】
図９は、シナリオデータベースシステム８内に設けられた一種のコンピュータで構成されたシナリオ検索装置１２の概略構成を示すブロック図である。
【００４７】
キーワード選択画面メモリ３１内には、表示器３０に表示するキーワード選択画面３０ａが記憶されている。図１０は、表示器３０に表示されたキーワード選択画面３０ａを示す図である。シナリオ登録装置１１のキーワード対応テーブル１５内に設定された各キーワード１７をそれぞれ識別可能として、マウスで選択するための選択ボタン３０ｃが設けられている。図１０の状態においては、「ＩＳＤＮ」、「Ｖｉｄｅｏ」、「Ｗ―ＣＤＭＡ」の合計３個のキーワード１７が選択されている。
【００４８】
この場合、後述するように、「ＩＳＤＮ」、「Ｖｉｄｅｏ」、「Ｗ―ＣＤＭＡ」の合計３個のキーワード１７のＡＮＤ条件で、シナリオ管理データベース２７を検索することを示す。また、選択されたキーワード１７それぞれの検索条件を設定可能にするために個々にＡＮＤ／ＯＲの設定をできるように構成しても良い。
【００４９】
そして、擬似基地局装置１を用いて、試験対象７に対する試験を実施しようとする試験実施者が、試験対象７の通信方式、使用環境、試験目的等に対応する１個又は複数のキーワード１７を表示器３０に表示されたキーワード選択画面３０ａから操作部３２で指定すると、１個又は複数のキーワード１７は、シナリオ検索部３３へ送出される。シナリオ検索部３３は、図７に示すシナリオ管理データベース２７の各シナリオの対応キーワードの領域を１個又は複数のキーワード１７のＡＮＤ条件（又は設定された条件）で検索して、ＡＮＤ条件を満足するシナリオのシナリオ名２９を読出す。
【００５０】
例えば、「ＩＳＤＮ」、「Ｖｉｄｅｏ」、「Ｗ―ＣＤＭＡ」の合計３個のキーワード１７のＡＮＤ条件で、データベース２７を検索すると、図７の例では、「ｅｘ００９７．ｃ」のシナリオ名２９のシナリオ１０が読出される。なお、複数のシナリオ１０が読出される場合もある。
【００５１】
シナリオ検索部３３で読み出された各シナリオ名２９は、シナリオ候補表示部３４にて、図１１に示すように、表示器３０にシナリオ選択画面３０ｂとして表示する。シナリオ選択画面３０ｂにおいては、各シナリオ名２９に対して、選択ボタン３０ｄが表示される。
【００５２】
実行シナリオ決定部３５は、試験実施者が選択ボタン３０ｄで選択したシナリオ名２９を実行シナリオ読出部３６へ送信する。実行シナリオ読出部３６は、選択されたシナリオ名２９のシナリオ１０をデータベース９のシナリオファイル２１から読出して、実行シナリオ送信部３７へ送出する。
【００５３】
実行シナリオ送信部３７は、当該シナリオ１０を送信Ｉ／Ｆ３８を介して、擬似基地局装置１の試験シナリオを記憶する記憶部６へダウンロードする。
【００５４】
このように構成されたシナリオ検索装置１２においては、擬似基地局装置１を用いて、試験対象７に対する試験を実施しようとする試験実施者が、試験対象７の通信方式、使用環境、試験目的等に対応する１個又は複数のキーワード１７を表示器３０に表示されたキーワード選択画面３０ａから操作部３２で指定すると、この検索条件に合致する１個又は複数のシナリオ１０のシナリオ名２９が表示器３０に表示される。そこで、試験実施者は実際に実行するシナリオ１０を選択すればよい。
【００５５】
図１２は、本発明の他の実施形態の試験装置としての擬似基地局装置１ａの概略構成図である。図１に示す擬似基地局装置１と同一部分には、同一符号を付して、重複する部分の詳細説明を省略する。
【００５６】
この擬似基地局装置１ａ内には、図１に示した、各試験のシナリオが分類されて登録されたデータベース９と、シナリオ１０をデータベース９に登録するシナリオ登録装置１１と、データベース９に登録されたシナリオを検索するシナリオ検索装置１２とで構成されているシナリオデータベースシステム８が組込まれている。
【００５７】
このように、試験装置としての擬似基地局装置１ａ内にシナリオデータベースシステム８を組込むことによって、擬似基地局装置１ａの操作性を大幅に向上できる。
【図面の簡単な説明】
【００５８】
【図１】本発明の一実施形態に係わるシナリオ登録方法、シナリオ登録プログラムが採用されるシナリオ登録装置が組込まれたシナリオデータベースシステム、及び試験装置としての擬似基地局装置の概略構成図
【図２】同実施形態のシナリオ登録装置の概略構成を示すブロック図
【図３】同実施形態のシナリオ登録装置で登録されるシナリオの一部を示す図
【図４】同実施形態のシナリオ登録装置内に形成されたメッセージ復号テーブルの記憶内容を示す図
【図５】同実施形態のシナリオ登録装置内に形成されたキーワード対応テーブルの記憶内容を示す図
【図６】同実施形態のシナリオ登録装置のメッセージ復号部で復号された各メッセージを示す図
【図７】データベース内に形成されたシナリオ管理データベースの記憶内容を示す図
【図８】同実施形態のシナリオ登録装置の全体動作を示す流れ図
【図９】本発明の一実施形態に係わるシナリオデータベースシステムに組込まれたシナリオ検索装置の概略構成を示すブロック図
【図１０】同実施形態のシナリオ検索装置における表示器の表示内容を示す図
【図１１】同じく同実施形態のシナリオ検索装置における表示器の表示内容を示す図
【図１２】本発明の他の実施形態の試験装置としての擬似基地局装置の概略構成図
【符号の説明】
【００５９】
１，１ａ…擬似基地局装置、２…擬似基地局、３…携帯端末、４…ＴＶ電話、５…通信端末（ＰＣ）、６…記憶部、７…試験対象、８…シナリオデータベースシステム、９…データベース、１０…シナリオ、１１…シナリオ登録装置、１２…シナリオ検索装置、１３…送受メッセージ、１４…メッセージ復号テーブル、１５…キーワード対応テーブル、１６…メッセージ文字列、１７…キーワード、１８…入力部、１９…入力バッファ、２０…シナリオ登録部、２１…シナリオファイル、２２…送受メッセージ抽出部、２３…メッセージ復号部、２４…キーワード導出部、２５…キーワード登録部、２７…シナリオ管理データベース、２８…格納位置、２９…シナリオ名、３０…表示器、３１…キーワード選択画面メモリ、３３…シナリオ検索部、３５…実行シナリオ決定部、３６…実行シナリオ読出部、３７…実行シナリオ送信部、３９…仮想接続先
【図１】
2007013409.tif 000003
【図２】
2007013409.tif 000004
【図３】
2007013409.tif 000005
【図４】
2007013409.tif 000006
【図５】
2007013409.tif 000007
【図６】
2007013409.tif 000008
【図７】
2007013409.tif 000009
【図８】
2007013409.tif 000010
【図９】
2007013409.tif 000011
【図１０】
2007013409.tif 000012
【図１１】
2007013409.tif 000013
【図１２】
2007013409.tif 000014